(57)【要約】【課題】  電線として必要な柔軟性を何等損なうことなく所望の止水効果を得ることができるように工夫した電線の止水処理方法と電線の止水構造を提供すること。【解決手段】  キャップ内にポリウレタン剤を充填すると共に電線の接続部を挿入して上記充填されたポリウレタン剤中に浸漬させ、それによって、上記接続部に止水処理を施すようにしたものであり、硬化後においても電線としての柔軟性を損なうようなことはなく、各電線毎に止水処理を施すといった煩雑な作業はなく、必要な止水効果についてはこれを確実に提供することができる。【選択図】  図１
2010192128.tif 000002
【特許請求の範囲】
【請求項１】
キャップ内にポリウレタン剤を充填すると共に電線の接続部を挿入して上記充填されたポリウレタン剤中に浸漬させ、それによって、上記接続部に止水処理を施すようにしたことを特徴とする電線の止水処理方法。
【請求項２】
請求項１記載の電線の止水処理方法において、
キャップ内にポリウレタン剤を充填し、そこに電線の接続部を挿入して上記充填されたポリウレタン剤中に浸漬させ、それによって、上記接続部に止水処理を施すようにしたことを特徴とする電線の止水処理方法。
【請求項３】
請求項２記載の電線の止水処理方法において、
上記電線の接続部の絶縁被覆の端から１０ｍｍ以上上の部分までがポリウレタン剤中に浸漬されるようにポリウレタン剤の充填量を調整するようにしたことを特徴とする電線の止水処理方法。
【請求項４】
電線の接続部を収容するキャップと、上記キャップ内に充填されて硬化するポリウレタン剤と、を具備し、上記充填されたポリウレタン剤が上記電線の接続部に浸入して硬化することにより止水機能を発揮するように構成されたことを特徴とする電線の止水構造。
【発明の詳細な説明】
【技術分野】
【０００１】
本発明は、電線の止水処理方法と電線の止水構造に係り、特に、キャップ内にポリウレタン剤を充填すると共にそこに電線の接続部を浸漬させることにより所望の止水処理を施すように工夫したものに関する。
【背景技術】
【０００２】
例えば、各種車両に搭載されているハーネスにおいては、敷設されている電線に各種電子機器が接続されている。この種の電線の接続部において何等の止水処理も施されていない場合には、その接続部より電線内に水が浸入して電線内を通って接続されている電子機器に至ってしまうことになる。電子機器に水が浸入した場合には、電子機器内にて短絡状態となり、電子機器を損傷させてしまうおそれがあった。
【０００３】
そこで、従来からそのような電線の接続部に様々な止水処理が施されている。そのような止水処理の一例を図３に示す。図３に示すように、まず、複数本の電線１０１があり、これら電線１０１は絶縁被覆１０３内に導体１０５を収容した構成になっている。上記複数本の電線１０１の先端部においては絶縁被覆１０３が剥ぎ取られていて導体１０５が露出されている。それら露出された導体１０５同士は接続されていて接続部１０７となっている。この接続部１０７の複数本の導体１０５は端子１０９によって束ねられている。
【０００４】
上記構成をなす電線１０１の接続部１０７はＰＶＣキャップ１１１内に収容されている。そして、上記ＰＶＣキャップ１１１の開口部１１１ａ側にはテープ１１３が巻き付けられていた。
【０００５】
しかしながら、上記構成では所望の防水性能を得ることはできなかった。そこで、図４、図５に示すような止水処理が提案されている。まず、図４に示す場合であるが、各電線１０１に対して絶縁被覆１０３を部分的に剥ぎ取って導体１０５を露出させる。その露出された導体１０５に半田１１５を滴下する。滴下された半田１１５は絶縁被覆１０３内に含浸されていき、それによって、所望の防水処理を施すものである。
【０００６】
又、図５に示す場合には、各電線１０１に対してその接続部を熱収縮性チューブ１１７によって覆う。そして、熱処理によって熱収縮性チューブ１１７が収縮することにより、所望の防水処理を施すものである。
【０００７】
その他にも様々な止水処理を開示したものがあるが、例えば、シリコーンを使用した止水処理を開示したものとして、例えば、特許文献１がある。
【先行技術文献】
【特許文献】
【０００８】
【特許文献１】特開２００８−２２６８３６号公報
【発明の概要】
【発明が解決しようとする課題】
【０００９】
上記従来の構成によると次のような問題があった。まず、図４に示す半田１１５を滴下・含浸させる方法の場合には、その半田１１５の滴下・含浸部分が硬化してまって電線としての柔軟性が損なわれてしまうという問題があった。そして、その硬化した部位が繰り返し屈曲された場合には破断してしまうおそれがあった。又、各電線１０１毎に処理を施す必要があり面倒であった。
【００１０】
又、図５に示す熱収縮性チューブ１１７の場合であるが、この場合にも電線としての柔軟性が損なわれてしまうという問題があった。又、各電線１０１毎に処理を施す必要があり面倒であり、且つ、全ての電線１０１に対して処理を施すことはできなかった。
【００１１】
本発明はこのような点に基づいてなされたものでその目的とするところは、電線として必要な柔軟性を何等損なうことなく所望の止水効果を得ることができるように工夫した電線の止水処理方法と電線の止水構造を提供することにある。
【課題を解決するための手段】
【００１２】
上記目的を達成するべく本願発明の請求項１による電線の止水処理方法は、キャップ内にポリウレタン剤を充填すると共に電線の接続部を挿入して上記充填されたポリウレタン剤中に浸漬させ、それによって、上記接続部に止水処理を施すようにしたことを特徴とするものである。
又、請求項２による電線の止水処理方法は、請求項１記載の電線の止水処理方法において、キャップ内にポリウレタン剤を充填し、そこに電線の接続部を挿入して上記充填されたポリウレタン剤中に浸漬させ、それによって、上記接続部に止水処理を施すようにしたことを特徴とするものである。
又、請求項３による電線の止水処理方法は、請求項２記載の電線の止水処理方法において、上記電線の接続部の絶縁被覆の端から１０ｍｍ以上上の部分までがポリウレタン剤中に浸漬されるようにポリウレタン剤の充填量を調整するようにしたことを特徴とするものである。
又、請求項４による電線の止水構造は、電線の接続部を収容するキャップと、上記キャップ内に充填されて硬化するポリウレタン剤と、を具備し、上記充填されたポリウレタン剤が上記電線の接続部に浸入して硬化することにより止水機能を発揮するように構成されたことを特徴とするものである。
【発明の効果】
【００１３】
以上説明したように本願発明の請求項１による電線の止水処理方法は、キャップ内にポリウレタン剤を充填すると共に電線の接続部を挿入して上記充填されたポリウレタン剤中に浸漬させ、それによって、上記接続部に止水処理を施すようにしたので、まず硬化後においても電線としての柔軟性を損なうようなことはない。各電線毎に止水処理を施すといった煩雑な作業はなく簡単である。又、必要な止水効果についてはこれを確実に提供することができる。すなわち、ポリウレタン剤１３が毛細管現象によって接続部内に隙間なく入り込んで硬化するからである。
又、請求項２による電線の止水処理方法は、請求項１記載の電線の止水処理方法において、キャップ内にポリウレタン剤を充填し、そこに電線の接続部を挿入して上記充填されたポリウレタン剤中に浸漬させ、それによって、上記接続部に止水処理を施すようにしたことを特徴とするものであり、それによって、上記効果を確実に得ることができるものである。
又、請求項３による電線の止水処理方法は、請求項２記載の電線の止水処理方法において、上記電線の接続部の絶縁被覆の端から１０ｍｍ以上上の部分までがポリウレタン剤中に浸漬されるようにポリウレタン剤の充填量を調整するようにしたことを特徴とするものであり、それによって、上記効果をより確実なものとすることができる。
又、請求項４は本発明を電線の止水構造としてクレームしたものである。
【図面の簡単な説明】
【００１４】
【図１】本発明の一実施の形態を示す図で、電線の止水処理方法を示す正面図である。
【図２】本発明の一実施の形態を示す図で、電線の構造を一部切り欠いて示す図である。
【図３】従来例を示す図で、電線の止水処理方法を示す正面図である。
【図４】従来例を示す図で、電線の止水処理方法を示す正面図である。
【図５】従来例を示す図で、電線の止水処理方法を示す正面図である。
【発明を実施するための形態】
【００１５】
以下、図１及び図２を参照して本発明の一実施の形態を説明する。まず、複数本の電線１があり、これら電線１は、図２に拡大して示すように、絶縁被覆３内に導体５を収容した構成になっている。上記各電線１の先端部は絶縁被覆３が剥ぎ取られていて導体５が露出されている。それら露出された導体５が接続されていて接続部７となっている。この接続部７は端子９によって束ねられている。
【００１６】
上記接続部７はＰＶＣ（ポリ塩化ビニール）キャップ１１内に挿入されている。又、上記ＰＶＣキャップ１１内にはポリウレタン剤１３が充填・硬化されている。それによって、所望の止水機能を発揮するように構成されている。
【００１７】
次に、接続部７に止水処理を施す手順を説明する。まず、ＰＶＣキャップ１１内にポリウレタン剤１３を充填する。次に、上記電線１の接続部をＰＶＣキャップ１１内に挿入し接続部７を上記ポリウレタン剤１３中に浸漬させる。その際、接続部７の絶縁被覆３の縁から略１０ｍｍ以上上の部分までがポリウレタン剤１３内に浸漬されるようにポリウレタン剤１３の量を調整する。電線１をＰＶＣキャップ１１内に挿入した後にポリウレタン剤１３の量を微調整する。それによって、止水処理を施す。すなわち、ポリウレタン剤１３が各電線間或いは各電線１の絶縁被覆３内に浸入して硬化することになるからである。
【００１８】
以上本実施の形態によると次のような効果を奏することができる。
まず、止水材料としてポリウレタン剤１３を使用しているので、硬化後においても電線としての柔軟性を損なうようなことはない。
又、複数本の電線１を束ねた場合においても各電線５毎に止水処理を施すといった煩雑な作業はなく簡単である。
又、必要な止水効果についてはこれを確実に提供することができる。すなわち、ポリウレタン剤１３が毛細管現象によって電線１間や各電線１の絶縁被覆３内に隙間なく入り込んで硬化するからである。
【００１９】
尚、本発明は前記一実施の形態に限定されるものではない。
例えば、前記一実施の形態の場合には、剥ぎ取られた絶縁被覆３の端から１０ｍｍ以上上の部分までがポリウレタン剤中に浸漬されるように構成したが、それに限定されるものではない。
又、キャップについてはその構成を特に限定するものではなく様々な形状、材質のキャップの使用が想定される。
又、キャップ内に電線を先に挿入するか或いはポリウレタン剤を先に充填するかは任意である。
その他図示した構成はあくまで一例である。
【産業上の利用可能性】
【００２０】
本発明は、電線の止水処理方法と電線の止水構造に係り、特に、ＰＶＣキャップ内にポリウレタン剤を充填し、そこに電線の接続部を浸漬させることにより所望の止水処理を施すように工夫したものに関し、例えば、各種車両に搭載される車両用ハーネスにおける電線の止水処理に好適である。
【符号の説明】
【００２１】
１  電線
３  絶縁被覆
５  導体
７  接続部
９  端子
１１  ＰＶＣキャップ（キャップ）
１３  ポリウレタン剤
【図１】
2010192128.tif 000003
【図２】
2010192128.tif 000004
【図３】
2010192128.tif 000005
【図４】
2010192128.tif 000006
【図５】
2010192128.tif 000007